(57)【要約】【課題】下方からの衝撃に対する緩衝性に優れ、天井照明器具を効率よく梱包できる緩衝体を提供する。【解決手段】底板１の両側に側壁２を連設し、底板１の一端に端壁３を、他端に内底板４をそれぞれ連設し、内底板４の両側に逆罫線５を介して立上板６、傾斜板７及び底重板８を順次連設した構成とする。底板１に対して側壁２及び端壁３を起立させ、側壁２と端壁３とを連結し、底板１の上面に内底板４を重ね、内底板４から逆罫線５に沿って立上板６を起立させ、立上板６から傾斜板７及び底重板８を巻き込むように折り曲げて、傾斜板７を外下方へ傾け、傾斜板７と底重板８の稜部を側壁の内面下部に係合させ、底重板８を底板１の上面に重ねる。これにより、積層構造の底壁１１を形成すると共に、底壁１１の両側に三角筒部１２を形成し、天井照明器具が三角筒部１２で支持されるようにする。【選択図】図５
0003197205.tif 000002
【実用新案登録請求の範囲】
【請求項１】
底板(1)の両側に側壁(2)を連設し、底板(1)の一端に側壁(2)と直角をなす端壁(3)を、他端に内底板(4)をそれぞれ連設し、内底板(4)の両側に逆罫線(5)を介して立上板(6)、傾斜板(7)及び底重板(8)を順次連設した構成とされ、
底板(1)に対して側壁(2)及び端壁(3)を起立させ、側壁(2)と端壁(3)とを連結して起立状態に保持し、底板(1)の上面に内底板(4)を重ね、内底板(4)から逆罫線(5)に沿って立上板(6)を起立させ、立上板(6)から傾斜板(7)及び底重板(8)を巻き込むように折り曲げて、傾斜板(7)を外下方へ傾け、傾斜板(7)と底重板(8)の稜部を側壁の内面下部に係合させ、底重板(8)を底板(1)の上面に重ねることにより、積層構造の底壁(11)を形成すると共に、底壁(11)の両側に三角筒部(12)を形成し、
対向する三角筒部(12)の立上板(6)の間に天井照明器具の本体部が嵌め込まれ、反射板が三角筒部(12)の傾斜板(7)に被さり、天井照明器具が三角筒部(12)で支持されるようにした天井照明器具用緩衝体。
【考案の詳細な説明】
【技術分野】
【０００１】
この考案は、天井照明器具の梱包に使用する緩衝体に関するものである。
【背景技術】
【０００２】
オフィスビルや店舗、工場等の天井に取り付けられる直管型ランプ用照明器具の梱包形態として、下記特許文献１には、図７に示すようなものが記載されている。
【０００３】
この梱包においては、照明器具の器具本体Ｂ１を、段ボールを折り曲げて形成した緩衝体５１で保持した状態で、両端に板状のパッド５２を沿わせて外箱５３に収納し、緩衝体５１の上に照明器具の笠状の反射板Ｂ２を載せて、外箱５３を閉じることとしている。
【０００４】
緩衝体５１は、器具本体Ｂ１の両側面に沿う側枠部５４と、反射板Ｂ２を下方から受け止める笠受板５５と、器具本体Ｂ１の天面に沿う天板５６とを折目となる罫線を介して連設したものとされている。
【先行技術文献】
【特許文献】
【０００５】
【特許文献１】特公昭５８−３９７１１号公報
【考案の概要】
【考案が解決しようとする課題】
【０００６】
しかしながら、上記梱包形態で使用される緩衝体では、輸送時の落下等に伴う下方からの衝撃に対して緩衝性が得られないという問題がある。また、建築工事で必要とされる多数の天井照明器具を梱包するには、多数の外箱や緩衝体、パッドを必要とし、梱包コストが嵩むという問題がある。
【０００７】
そこで、この考案は、下方からの衝撃に対する緩衝性に優れ、天井照明器具を効率よく梱包できる緩衝体を提供することを課題とする。
【課題を解決するための手段】
【０００８】
上記課題を解決するため、この考案に係る緩衝体は、底板の両側に側壁を連設し、底板の一端に側壁と直角をなす端壁を、他端に内底板をそれぞれ連設し、内底板の両側に逆罫線を介して立上板、傾斜板及び底重板を順次連設した構成としたのである。
【０００９】
そして、底板に対して側壁及び端壁を起立させ、側壁と端壁とを連結して起立状態に保持し、底板の上面に内底板を重ね、内底板から逆罫線に沿って立上板を起立させ、立上板から傾斜板及び底重板を巻き込むように折り曲げて、傾斜板を外下方へ傾け、傾斜板と底重板の稜部を側壁の内面下部に係合させ、底重板を底板の上面に重ねることにより、積層構造の底壁を形成すると共に、底壁の両側に三角筒部を形成したのである。
【００１０】
これにより、笠状の反射板を有する天井照明器具を梱包する際、対向する三角筒部の立上板の間に天井照明器具の本体部を嵌め込むと、反射板が三角筒部の傾斜板に被さり、天井照明器具が三角筒部で支持される。
【考案の効果】
【００１１】
この考案に係る緩衝体では、底壁の両側に三角筒部を対向するように形成したので、天井照明器具を、本体部と笠状の反射板とを一体として梱包すると、天井照明器具が三角筒部により宙吊り状に支持され、側壁と端壁とが連結されて底壁が積層構造となった堅固な構造であることと相俟って、輸送時の落下等による下方からの衝撃に対して、優れた緩衝性を得ることができる。
【００１２】
また、天井照明器具の端面に沿う端壁を備えているので、対向配置した緩衝体に天井照明器具の両端部をそれぞれ嵌め、緩衝体を積み重ね、対向する緩衝体間に亘ってスリーブを巻くだけで、外箱を用いることなく、複数の天井照明器具を纏めて、少量の資材で効率よく梱包することができる。
【図面の簡単な説明】
【００１３】
【図１】この考案に係る緩衝体を使用した天井照明器具の梱包形態を示す斜視図
【図２】同上の緩衝体のブランクを示す図
【図３】同上の緩衝体の組立過程を示す斜視図
【図４】同上の緩衝体の組立過程を示す斜視図
【図５】同上の緩衝体の組立状態を示す斜視図
【図６】同上の緩衝体に天井照明器具を嵌め込んだ状態を示す端面図
【図７】従来の緩衝体による梱包形態を示す斜視図
【考案を実施するための形態】
【００１４】
以下、この考案の実施形態を添付図面に基づいて説明する。
【００１５】
図１に示すように、この緩衝体Ｐは、直管型ランプを光源とした天井照明器具Ａの梱包に使用される段ボール製のものであり、天井照明器具Ａの両端部を嵌め込んで積み重ね、スリーブＳを巻くことにより、建築工事等で必要とされる複数の天井照明器具Ａを纏めて梱包できるようにしたものである。
【００１６】
図２に示すように、緩衝体Ｐのブランクでは、四角形の底板１の両側の対向する辺にそれぞれ側壁２が連設され、また、これと直角をなす他の対向する辺のうち、一方の辺に端壁３となる部分が連設され、他方の辺の中間部分に底板１より幅寸法が小さい内底板４が連設されている。
【００１７】
そして、内底板４の両側には、逆罫線５を介して立上板６、傾斜板７及び底重板８がそれぞれ順次連設されている。逆罫線５は、表面側が谷折りとなる折り曲げを可能とするため、押罫と切目とが交互に断続するリード罫とされている。また、傾斜板７と底重板８の境界は、両端の繋部を除いて切断され、その中間部には、傾斜板７から底重板８へ向けて係合片７ａが形成されている。
【００１８】
側壁２は、底板１から順次連なる外側板２１、頂板２２及び内側板２３を備え、内側板２３の内底板４側の側端に折込板２４が連設されている。端壁３は、底板１から順次連なる外端板３１、頂板３２及び内端板３３を備え、内端板３３の両側端には、折込板２５が連設されている。また、外側板２１の端壁３側の端辺には、折込板３４が連設され、折込板３４の内側板２３側の端辺には、折込板３５が連設されている。
【００１９】
内側板２３と折込板２４の境界は、１８０°の折り曲げが可能となるように、両端の繋部を除いて切断され、折込板３４，３５の境界もまた、１８０°の折り曲げが可能となるように、両端の繋部を除いて切断されている。
【００２０】
内側板２３と折込板２４の先端には、係合突起２ａがそれぞれ２個ずつ設けられ、係合突起２ａに挟まれた部分には、係合片７ａが係合する係合凹所２ｂがそれぞれ形成されている。また、外側板２１の上端となる部分には、頂板２２への切込により、２個の積上突起４１が設けられ、底板１と外側板２１の境界部分には、係合突起２ａ及び積上突起４１に対応して、境界の罫線を跨ぐように係合穴４２が両側２個ずつ形成されている。
【００２１】
さらに、内端板３３の先端には、中央部に１個の係合突起３ａが設けられ、底板１の外端板３１との境界部分には、係合突起３ａに対応して、中央部に１個の係合穴４３が形成されている。
【００２２】
このようなブランクを組み立てるには、図３に示すように、底板１から両側の外側板２１を起立させ、内側板２３の裏面に折込板２４を重ね合わせ、折込板３４，３５を重ね合わせて対向する方向へ折り曲げ、底板１から外端板３１を起立させ、内端板３３から折込板２５を表面側が谷折りとなるように折り曲げ、外端板３１から頂板３２及び内端板３３を巻き込むように折り曲げる。
【００２３】
次に、図４に示すように、外端板３１と内端板３３の間に折込板３４，３５を挟んだ状態で、係合突起３ａを係合穴４３に係合させて、端壁３を保形すると共に、外側板２１の内側に折込板２５を沿わせ、外側板２１と内側板２３の間に折込板２４，２５を挟んだ状態で、係合突起２ａを係合穴４２に係合させて、側壁２を保形する。これにより、側壁２と端壁３とが連結されて、起立状態に保持される。
【００２４】
続いて、内底板４を対向する側壁２の間へ挿入する方向へ折り曲げると共に、立上板６を逆罫線５に沿って表面側が谷折りとなるように内底板４の方向へ折り曲げ、立上板６から傾斜板７を外側へ折り返し、傾斜板７の裏側へ底重板８を巻き込むように折り曲げた状態に押圧しつつ、内底板４の折り曲げを進行させる。
【００２５】
その後、図５及び図６に示すように、底板１の上面に内底板４を重ね、立上板６、傾斜板７及び底重板８を押圧状態から復元させると、傾斜板７が外下方へ傾き、底重板８が底板１の上面に重なり、係合片７ａが内側板２３と折込板２４の下部で一致した係合凹所２ｂに係合する。
【００２６】
これにより、底板１に内底板４及び底重板８が重なる積層構造の底壁１１が形成され、底壁１１の両側に立上板６、傾斜板７及び底重板８から成る三角筒部１２が形成された組立状態となる。
【００２７】
上記のような緩衝体Ｐでは、図６に示すように、組立状態において、対向する三角筒部１２の立上板６の間の部分が上方へ開放されているので、天井照明器具Ａを梱包する際、その本体部ａと反射板ｂとを一体に固定した状態で、対向する立上板６の間に本体部ａを挿入し、傾斜板７の表面に反射板ｂを被せるように載置する。
【００２８】
このように梱包すると、天井照明器具Ａが対向する三角筒部１２により宙吊り状に支持され、側壁２と端壁３とが連結されて底壁１１が積層構造となった堅固な構造であることと相俟って、輸送時の落下等による下方からの衝撃に対して、優れた緩衝性を得ることができ、天井照明器具Ａを確実に保護することができる。
【００２９】
また、天井照明器具Ａの端面に沿う端壁３を備えているので、図１に示すように、対向配置した緩衝体Ｐに天井照明器具Ａの両端部をそれぞれ嵌め、緩衝体Ｐを積み重ねて、下段側の緩衝体Ｐの積上突起４１を上段側の緩衝体Ｐの係合穴４２に係合させ、対向する緩衝体Ｐ間に亘ってスリーブＳを巻くだけで、外箱を用いることなく、複数の天井照明器具Ａを纏めて、少量の資材で効率よく梱包することができる。
【００３０】
なお、上記実施形態では、三角筒部１２の係合片７ａが側壁２の係合凹所２ｂに係合して、傾斜板７と底重板８の稜部が側壁２の内面下部に係合するものを例示したが、側壁２の内側板２３の下端に設けた突起が傾斜板７と底重板８の稜部に形成した穴に係合して、傾斜板７と底重板８の稜部が側壁２の内面下部に係合するものとしてもよい。
【符号の説明】
【００３１】
１  底板
２  側壁
２ａ  係合突起
２ｂ  係合凹所
３  端壁
３ａ  係合突起
４  内底板
５  逆罫線
６  立上板
７  傾斜板
７ａ  係合片
８  底重板
１１  底壁
１２  三角筒部
２１  外側板
２２  頂板
２３  内側板
２４，２５  折込板
３１  外端板
３２  頂板
３３  内端板
３４，３５  折込板
４１  積上突起
４２，４３  係合穴
Ａ  天井照明器具
ａ  本体部
ｂ  反射板
Ｐ  緩衝体
Ｓ  スリーブ
【図１】
0003197205.tif 000003
【図２】
0003197205.tif 000004
【図３】
0003197205.tif 000005
【図４】
0003197205.tif 000006
【図５】
0003197205.tif 000007
【図６】
0003197205.tif 000008
【図７】
0003197205.tif 000009